(57)【要約】【課題】  簡素化した連結構造で、作業空間内から感染の恐れのある実験中の材料を安全キャビネットから取り出すことなく、他の安全キャビネットに受け渡すことが可能な、バイオハザード対策用安全キャビネットを提供する。  連結型安全キャビネットの連結部構造の簡素化と圧力制御による細菌・ウイルスの防止を図った安全キャビネットを提供する。【解決手段】  複数の連結された安全キャビネットに於いて、連結された安全キャビネットの循環流路は同一空間となるよう連結し、その共用した循環流路内には、前記複数の安全キャビネットの作業空間を連結する形で渡りようの空間を構成したものである。【選択図】  図２
2006043521.tif 000002
【特許請求の範囲】
【請求項１】
送風手段により第一の空気清浄手段を通して作業空間に清浄空気を供給する給気系と、
前記作業空間に連結する循環流路から排気手段により第二の空気清浄手段を介して装置外へ空気を排出する排気系と、
前記送風手段と、
前記第一の空気清浄手段に連接する圧力チャンバと、
前記作業空間前面に形成する前面シャッタと、
前記前面シャッタ下部の作業空間に連接する前面開口部と、
前記開口部下側の前記作業空間底面の前面に形成した空気吸い込み口と、
前記空気吸い込み口と相反する作業空間壁面に形成した空気吸い込み口と、
前記作業空間下部の循環流路と、
前記作業空間底面に開口部を有し、
前記第二の空気清浄手段に連接する前記循環流路は、前記前面シャッタに相反する側だけではなく前記作業空間の両側面にも形成した安全キャビネットにおいて、
同一に構成した他の安全キャビネットと循環流路空間を共用し、共用した循環流路内には、前記複数台の安全キャビネットの作業空間を連結する空間を有することを特徴とする安全キャビネット。
【請求項２】
請求項１の安全キャビネットにおいて、作業空間を連接する空間の作業空間に面さない他の面は、循環流路に接していることを特徴とする安全キャビネット。
【請求項３】
請求項１、２の安全キャビネットにおいて、作業空間を連結する空間の作業空間側に、開閉可能に取り付けた扉を有することを特徴とする安全キャビネット。
【請求項４】
請求項１、２、３の安全キャビネットにおいて、作業空間を連接する空間の作業空間に面さない他の辺に、循環流路に繋がる開口部を有していることを特徴とする安全キャビネット。
【請求項５】
送風手段により第一の空気清浄手段を通して作業空間に清浄空気を供給する給気系と、
前記作業空間に連結する循環流路から排気手段により第二の空気清浄手段を介して装置外へ空気を排出する排気系と、
前記送風手段と、
前記第一の空気清浄手段に連接する圧力チャンバと、
前記作業空間前面に形成する前面シャッタと、
前記前面シャッタ下部の作業空間に連接する前面開口部と、
前記開口部下側の前記作業空間底面の前面に形成した空気吸い込み口と、
前記空気吸い込み口と相反する作業空間壁面に形成した空気吸い込み口と、
前記作業空間下部の循環流路と、
前記作業空間底面に開口部を形成した安全キャビネットにおいて、
前面シャッタを分割する中間枠を有し、作業空間に対し複数の前面シャッタを有することを特徴とする安全キャビネット。
【発明の詳細な説明】
【技術分野】
【０００１】
本発明は、医療、製薬など遺伝子操作の産業分野において、微生物・病原体などの取り扱いにより発生する災害を防止する清浄作業台、いわゆるバイオハザード対策用安全キャビネットに関する。  
【背景技術】
【０００２】
従来、バイオハザード対策の人・環境と生物材料・病原体を物理的に隔離する一次バリアとして安全キャビネットが用いられている。安全キャビネットは一部に開口部を有する仕切られた空間で隔離性能（細菌試験性能）を有している。この安全キャビネットを外部の雑菌から試料を保護しつつ、人への感染防止を図りたい試料の生産工程などでは、各工程別に試料を安全キャビネットから取り出す必要があり、コンタミの可能性が生じていた。このこと改善した従来技術による安全キャビネットを実開昭５９―１４３６７２号公報に示す。従来技術では、安全キャビネット側面に連結口を空け、複数台の安全キャビネットの連結口を閉空間で繋げることにより、隔離性能を持つ安全キャビネットの作業空間から試料を外に出すことなく、次の安全キャビネットへの受け渡しを可能としている。
【０００３】
【特許文献１】実開昭５９―１４３６７２号公報
【発明の開示】
【発明が解決しようとする課題】
【０００４】
従来技術の安全キャビネットの横断面構造図を図９に、連結構造図を図１０に示す。送風機６より吹き出された空気は、圧力チャンバ１８を通り、一部は循環用ＨＥＰＡフィルタ５により細菌・ウイルスを除去され清浄空気として作業空間３に供給される。また。他の一部は排気用ＨＥＰＡフィルタ４により細菌・ウイルスを除去され装置外で放出される。作業者は、前面開口部１０より手を挿入し、実験材料を取り扱うことにより試料との感染を防止するとともに、実験材料の他の細菌とのコンタミも防止している。前記従来技術では、作業空間３の側面に開口部を設け、また、他の安全キャビネットの側面にも開口部を設け、その両方を渡り空間１９で連結することにより実験中の試料を安全キャビネットの作業空間３から出すことなく、他の安全キャビネットの作業空間３に移動することが可能となる。また、作業空間３と連結空間１９の間には、空間を仕切る目的で連結部の扉２１が設けられている。
【０００５】
従来技術による安全キャビネットでは、作業空間３の側面が外気と同じ圧力であるため、渡り空間１９と作業空間３の連結部扉２１は、細菌・ウイルスの外部への漏洩を防止するため、密閉性を高める必要があった。
また、作業空間３と渡り空間１９の連結部扉２１は、密閉性を有する扉にするため、スライド方式ではなく、蝶番による開閉方式とし扉と作業空間側面の当たり面は気密性のあるパッキンを設ける必要があった。また蝶番方式の扉では、開閉時に作業空間３内の気流を乱すという不具合が生じていた。
【０００６】
本発明の目的は、連結型の安全キャビネットの連結部構造の簡素化と圧力制御による細菌・ウイルスの防止を図った安全キャビネットを提供することにある。
【課題を解決するための手段】
【０００７】
上記課題を解決するために、本発明は以下のように装置を構成したものである。
【０００８】
複数の連結された安全キャビネットにおいて、連結された安全キャビネットの循環流路は同一空間となるように連結し、その共用した循環流路内には、前記複数の安全キャビネットの作業空間を連結する形で渡りようの空間を構成したものである。  
【発明の効果】
【０００９】
本発明の実施により、作業空間内から感染の恐れのある実験中の材料を安全キャビネットから取り出すことなく、他の安全キャビネットに受け渡すことが可能な、バイオハザード対策用安全キャビネットを提供できる。  
【発明を実施するための最良の形態】
【００１０】
以下、本発明の実施の形態を図１〜図８により説明する。
【実施例１】
【００１１】
図１は、本発明の第１実施の形態を示す、安全キャビネット横断面構造図である。
【００１２】
図１において、作業者は、安全キャビネット１の前面開口部１０から腕を挿入し、前面シャッタ９から作業空間３を覗き込み、作業空間３内で細菌・ウイルス１５を取り扱った作業を行う。
【００１３】
前面開口部１０から吸い込まれた空気１３は、作業台２下部、作業空間３背面の循環流路７を通り、送風機６に吸い込まれる。この汚染された空気が通り送風機６の吸込み側の領域を負圧汚染プレナム１４と言う。送風機６に吸い込まれた空気は、圧力チャンバ１８で加圧され、一部は給気用ＨＥＰＡフィルタ５により濾過され、清浄空気として作業空間３内に、他の一部は排気用ＨＥＰＡフィルタ４により濾過され、清浄空気として装置外に排出される。作業空間３内に供給される吹き出し気流１２は、作業空間３内を清浄化し、一部は前面吸込みスリット１６から、他の一部は背面空気吸込み口１７から吸い込まれ、循環流路７を通り、送風機６に吸い込まれる。
【００１４】
このＨＥＰＡフィルタによる空気清浄と、前面開口部などの気流の制御により、感染の可能性のある実験中の材料を実験室環境や作業者から隔離し、感染を防止している。
【００１５】
図２は、本発明の第１実施の形態を示す安全キャビネット断面構造図である。
【００１６】
２台の安全キャビネット１の本体ケース１ａの一部は連結されている。連結された部分中には、２台の安全キャビネットの作業空間３を連結する形で、連結部渡り空間１９を形成している。ここで、循環用ＨＥＰＡフィルタ５、５’から吹き出された空気１２、１２’と前面開口部１０から吸い込まれた空気１３は、作業空間背面と両側面を通り送風機６，６‘に吸い込まれる。構成としては、安全キャビネット１側面にも循環流路７が形成されているため、作業空間３，３’の正面を除く３方向は、全て負圧汚染プレナム１４，１４’になっていることになる。この負圧汚染プレナム１４，１４’で作業空間３，３’を囲うにより、作業空間３の外壁に漏れが生じても、細菌・ウイルス１５は、負圧汚染プレナム１４，１４’に吸い込まれ、再び送風機６，６’に入り、細菌・ウイルス１５が安全キャビネット１外へ漏れる可能性が少なくなる。
【００１７】
２台の安全キャビネット１は、負圧汚染プレナム１４で繋がっている。連結部渡り空間１９は、この共用する負圧汚染プレナム１４内に形成しているため、連結部渡り空間１９から細菌・ウイルス１５が安全キャビネット１外で漏れる可能性も低減される。
【００１８】
連結部渡り空間１９の安全キャビネット１の作業空間３側には、連結部扉２１を形成している。従来実施の形態では、この連結部扉２１が取り付いている作業空間側壁面８の反作業空間側は、外気であるため、作業空間３内の細菌・ウイルス１５が、連結部扉２１の作業空間側壁面８取り付け部から漏れる可能性があり、連結部扉２１の密閉性を高める必要があった。第一実施の形態では、連結部扉２１の反作業空間側は負圧汚染プレナム１４、あるいは、作業空間３同一の空気である連結部渡り空間１９であるため、連結部扉２１に密閉性がなく、細菌・ウイルス１５が漏れたとしても、負圧汚染プレナム１４に入り、送風機６により回収されるため、連結部扉２１の構造を簡素化することが可能となる。
【実施例２】
【００１９】
図３は、本発明の第２実施の形態を示す安全キャビネット断面構造図である。
【００２０】
図３において、第１実施の形態と同じく、連結部渡り空間１９の内壁２２の周囲は負圧汚染プレナム１４になっている。この渡り空間内壁２２に渡り空間内壁開口部２２ａを形成することにより、強制的に連結部渡り空間１９内の空気を負圧汚染プレナム１４内に流すものである。
【００２１】
これは、両側の作業空間３には、ＨＥＰＡフィルタにより清浄化された吹き出し空気１２が供給されているが、連結部渡り空間１９内の空気は循環しないで淀んでいる。気流の流れがないため、一旦、連結部渡り空間１９内に入り込んだ細菌・ウイルス１５は、殺菌灯を照射するなどしなければ、取り除くことはできない。
【００２２】
第２実施の形態では、連結部渡り空間１９内に、わずかな気流の流れを形成するため、渡り空間内壁２２に開口部２２ａを形成したものである。開口部２２ａから吸い込まれた空気と同じ量だけ、連結部扉２１のわずかな隙間から、両側の安全キャビネット作業空間３内の空気が、連結部渡り空間１９内に入り込む。
【実施例３】
【００２３】
図４は、本発明の第３実施の形態を示す安全キャビネット断面構造図である。
【００２４】
図４は、連結部渡り空間１９の両側に連結されている安全キャビネット１の吹き出し気流１２の吹き出し風速は、左右で異なる風速に設定している場合を示している。この風速設定により、遅い風速１２ａより速い風速１２ｂを持つ安全キャビネット内の作業空間３内の圧力が高くなる。この圧力差を設けることにより、連結部扉２１にわずかな隙間が生じた場合でも、気流は圧力の高い安全キャビネット作業空間３から、圧力の低い安全キャビネット作業空間３に移動することとなり、気流を一方向のみに制御することが可能となる。
【実施例４】
【００２５】
図５は、本発明の第４実施の形態を示す安全キャビネットの断面構造図で、また、図６は、図５の安全キャビネットの正面図である。
【００２６】
図５において、４”は排気用ＨＥＰＡフィルタ、５”は循環用ＨＥＰＡフィルタ、６”は送風機、７”は循環流路、８”は作業空間内壁面、１４”は負圧汚染プレナム、１５は細菌・ウイルス、１８”は圧力チャンバ、２０”は吹出し口整流板である。また、図６において、９”は前面シャッタ、１０”は前面開口部である。
【００２７】
図５及び図６において、一つの作業空間３に対し、２分割した全面シャッタ９を設けている。
【００２８】
作業空間３の上部には、吹出し整流板２０“を介して２個の循環用ＨＥＰＡフィルタ５”を有し、その各々のフィルタ５“の上部には、圧力チャンバ５”を設け、圧力チャンバ５“に設けられた送風機６”により送風する。
【００２９】
作業空間３内の空気は、作業空間３の左右の循環流路７を通って、上部の負圧汚染プレナム１４に送られる。図面には記載していないが、背面側にも循環通路は存在する。
【００３０】
負圧汚染プレナム１４に送られた空気は、送風機６により作業空間３に送られるものと、排気用ＨＥＰＡフィルタ４“を介して安全キャビネット外へ排気されるものに分かれる。
【００３１】
第４の実施例の安全キャビネットは、横幅が略４ｍ程度のものを考慮しており、前面シャッタ９の間に中間枠２３を設けることにより、前面シャッタの大型化の対策を取っている。また、ここでは前面シャッタを２分割したものを記載しているが、１枚のものでも構わない。
【００３２】
また、図５において、ＨＥＰＡフィルタを例えば略４ｍ弱のものを製造することは困難であるため、従来のＨＥＰＡフィルタを直列に並べて配置することになる。このようにＨＥＰＡフィルタを並べた場合、作業空間内に清浄空気を均一に吹出すことが必要であるがＨＥＰＡフィルタの連結部の個所で均一性を欠く。従って本発明は、整流板の孔の大きさを連結部の個所付近で変化させて均一性を保つ。すなわちフィルタの連結部は吹出し空気が少ないので、整流板の孔は周囲より大きくすることで均一にする。
【実施例５】
【００３３】
図７は、本発明の第５実施の形態を示す安全キャビネット連結部構造図である。
２台の安全キャビネットの本体ケース１ａはフランジ部で連結している。連結部の本体内部側は負圧汚染プレナム１４となっているため、フランジ部の連結が甘くとも、細菌・ウイルス１５が漏れる可能性は少ない。
【００３４】
また、渡り空間内壁２２と作業空間側壁面８の連結部も負圧汚染プレナムに接しているため、連結部から細菌・ウイルス１５が漏れる可能性も少ない。したがって、連結部渡り空間１９と作業空間３とを仕切る連結部扉２１は、スライドして開閉するなど簡単な構造で対応することが可能となる。
【実施例６】
【００３５】
図８は、本発明の第６実施の形態を示す、安全キャビネット連結部構造図である。
【００３６】
安全キャビネットの本体ケース１ａにはフランジ部を設けていない。
作業空間内壁８や作業台２と繋がる形で、作業空間内壁延長板２４を設け、それを安全キャビネットの本体ケース１ａ外で出し、そこにフランジ部を形成することにより、そこで、２台の安全キャビネットを連結している。作業空間内壁延長板２４の更に、渡り空間１９側には、渡り空間内壁２２を形成している。作業空間内壁延長板２４には、開口部を設け、作業空間内壁延長板２４と渡り空間内壁２２の間の空間を負圧汚染プレナム１４に繋がる空間に形成している。
【００３７】
この構造により渡り空間内壁２２に２台の安全キャビネット１の連結接続部が渡り空間内に出なくなり、綺麗な面での物品の受け渡しが可能となる。
【産業上の利用可能性】
【００３８】
本発明は、外部の雑菌から試料を保護しつつ、人への感染防止を図りたい試料の生産工程などでは、各工程別に試料を安全キャビネットから取り出すことなく、次の工程に試料を受け渡すことが可能となるバイオハザード対策用安全キャビネットを提供する。
【図面の簡単な説明】
【００３９】
【図１】本発明の第１実施の形態を示す、安全キャビネット横断面構造図である。
【図２】本発明の第１実施の形態を示す、安全キャビネット断面構造図である。
【図３】本発明の第２実施の形態を示す、安全キャビネット断面構造図である。
【図４】本発明の第３実施の形態を示す、安全キャビネット断面構造図である。
【図５】本発明の第４実施の形態を示す、安全キャビネット断面構造図である。
【図６】本発明の第４実施の形態を示す、安全キャビネット正面図である。
【図７】本発明の第５実施の形態を示す、安全キャビネット連結部構造図である。
【図８】本発明の第６実施の形態を示す、安全キャビネット連結部構造図である。
【図９】従来技術による安全キャビネット横断面構造図である。
【図１０】従来技術による安全キャビネット断面構造図である。
【符号の説明】
【００４０】
１…安全キャビネット、    １ａ…本体ケース、    ２…作業台
３…作業空間、    ４…排気用ＨＥＰＡフィルタ
５…給気用ＨＥＰＡフィルタ、    ６…送風機、    ７…循環流路
８…作業空間側壁面、    ９…前面シャッタ、    １０…前面開口部
１１…エアカーテン、    １２…吹き出し気流、    １３…流入気流
１４…負圧汚染プレナム、  １５…細菌・ウイルス、１６…前面吸込みスリット
１７…背面空気吸込み口、  １８…圧力チャンバ、  １９…連結部渡り空間
２０…吹き出し口整流板、  ２１…連結部扉、      ２２…渡り空間内壁
２２ａ…渡り空間内開口部、２３…中間枠、２４…作業空間外壁延長板
【図１】
2006043521.tif 000003
【図２】
2006043521.tif 000004
【図３】
2006043521.tif 000005
【図４】
2006043521.tif 000006
【図５】
2006043521.tif 000007
【図６】
2006043521.tif 000008
【図７】
2006043521.tif 000009
【図８】
2006043521.tif 000010
【図９】
2006043521.tif 000011
【図１０】
2006043521.tif 000012